(57)【特許請求の範囲】
【請求項１】
複数の各ＬＡＮがそれぞれＬＡＮ間接続装置によりＩＳＤＮの公衆網と接続された公衆網経由のＬＡＮ間接続方式において，
複数の回線を備えたＬＡＮ間接続装置の指定された回線番号の回線への着信時に，回線使用中による着信拒否が発生すると，公衆網から発呼側の回線番号を含む着信拒否の通知が前記着信側の回線へ送られ，
前記着信側のＬＡＮ間接続装置は，制御部に前記複数の回線の使用状態を格納するチャネルテーブルと，前記着信拒否の通知を検出すると前記チャネルテーブルを識別して空きチャネルを持つ回線を識別する空き回線識別手段と，前記空き回線識別手段により識別した回線からの発呼を指示する発呼指示手段と，前記発呼の指示による接続が成功すると前記チャネルテーブルを更新するテーブル更新手段を備えることを特徴とする公衆網経由のＬＡＮ間接続方式。
【請求項２】
複数の各ＬＡＮがそれぞれＬＡＮ間接続装置によりＩＳＤＮの公衆網と接続された公衆網経由のＬＡＮ間接続方式において，
着信側の一つの回線を備えたＬＡＮ間接続装置の回線番号の回線への着信時に，回線使用中による着信拒否が発生すると，公衆網から発呼側の回線番号を含む着信拒否の通知が送られ，
前記着信側のＬＡＮ間接続装置が接続する同じＬＡＮに公衆網と接続する回線を備える他のＬＡＮ間接続装置が接続され，各ＬＡＮ間接続装置の制御部にそれぞれ自ＬＡＮ間接続装置の回線と他のＬＡＮ間接続装置の回線の各使用状態を格納するチャネルテーブルを備え，
前記着信側のＬＡＮ間接続装置と前記他のＬＡＮ間接続装置は，それぞれ定期的に互いの回線のチャネルの空き状態を前記ＬＡＮ経由で定期的に通知することによりそれぞれに備えるチャネルテーブルを更新するチャネルテーブル更新手段を備え，
前記着信側のＬＡＮ間接続装置の制御部は，前記着信拒否の通知を検出すると前記チャネルテーブルから，前記他のＬＡＮ間接続装置の空きチャネルを持つ回線を識別すると，前記他のＬＡＮ間接続装置に対し，前記発呼側のＬＡＮ間接続装置への発呼依頼を送信し，
前記他のＬＡＮ間接続装置の制御部は，前記依頼された相手へ空き回線を介して発呼することを特徴とする公衆網経由のＬＡＮ間接続方式。
【請求項３】
請求項２において，
前記着信側の他のＬＡＮ間接続装置は，前記回線を指定した発呼依頼を受け取るとチャネルテーブルを参照し，前記指定した回線が空き状態か，前記指定した回線が使用中で他の回線に空きがある状態か，前記指定した回線及び他の回線が全て使用中の状態かを識別し，対応する識別子を含む応答フレームを前記依頼元のＬＡＮ間接続装置へ通知し，
前記依頼元のＬＡＮ間接続装置は，前記応答フレームを識別すると対応する発呼依頼を前記他のＬＡＮ間接続装置に送信することを特徴とする公衆網経由のＬＡＮ間接続方式。
【発明の詳細な説明】
【０００１】
【産業上の利用分野】
本発明は公衆網経由のＬＡＮ間接続方式に関する。
近年，ＬＡＮにより多くの処理装置を接続して資源の共有，分散処理を行うシステムが増大している。ＬＡＮを拡張して複数のＬＡＮを公衆網のＷＡＮ（ＷｉｄｅＡｒｅａ  Ｎｅｔｗｏｒｋ）を介して接続したＬＡＮ・ＷＡＮ・ＬＡＮ接続を取るシステムも採用されている。
【０００２】
このような，公衆網を介してＬＡＮとＬＡＮが接続する場合，発呼側のＬＡＮから公衆網を介して相手のＬＡＮを呼び出した場合，回線がビジーであると，発呼側からは何度も発呼動作を繰り返すことが多く，無駄な動作が行われることになり，その改善が望まれている。
【０００３】
【従来の技術】
図１０は従来例の説明図である。
図１０において，６０は公衆網，６１，６２はＬＡＮ１を構成し，６１はＬＡＮ１が公衆網６０との接続のために設けられたＬＡＮ間接続装置，６２はＬＡＮ１のパーソナルコンピュータ，ワークステーション，プリンタ等の端末，６３，６４はＬＡＮ２を構成し，６３はＬＡＮ２が公衆網６０と接続するために設けられたＬＡＮ間接続装置，６４は端末を表す。
【０００４】
ＬＡＮ間接続装置６１は公衆網６０に接続する回線装置（またはポートと呼ばれる）６１ａを備え，ＬＡＮ間接続装置６２は公衆網６０と接続する２つの回線装置（またはポート）６３ａ及び６３ｂを備えている。ＬＡＮ１の端末６２からの要求でＬＡＮ２の端末６４と通信を行うために要求を発生すると，ＬＡＮ間接続装置６１は回線装置６１ａから公衆網６０に発呼して，端末６２から要求された相手を呼び出すため，ＬＡＮ１にアクセスするための選択情報を送出する。この場合，選択情報はＬＡＮ２のＬＡＮ間接続装置６３に接続する回線装置６３ａ，６３ｂの一方の回線番号が予め登録されており，この例では回線装置６３ａの回線番号が登録されているものとする。この選択情報を受け取った公衆網６０は，回線装置６３ａを捕捉する動作を行い，回線装置６３ａが空いているとＬＡＮ間接続装置６３に着信し，ＬＡＮ間接続装置６３から相手側の端末６４を呼び出すことにより端末６４と端末６２とが接続される。なお，この接続は，ＬＡＮ，ＷＡＮ（公衆網６０），ＬＡＮ接続と呼ばれる。
【０００５】
この回線装置６３ａが図示されない多くの他のＬＡＮ間接続装置または公衆網６０に接続する端末からの呼が集中する回線に接続している場合，使用中になる確率が高くなる。その場合，公衆網６０からは発呼側の回線装置６１ａに対しビジーを表す信号（接続拒否）が送られ，ＬＡＮ間接続装置６１または公衆網に接続する端末がビジーを検出すると，一定時間後に再発呼を行い，この動作が繰り返される。
【０００６】
【発明が解決しようとする課題】
上記従来例として説明したＬＡＮ，ＷＡＮ，ＬＡＮの接続では，ＬＡＮ２のＬＡＮ間接続６３の回線装置６３ａの回線番号へのアクセス（発呼）が集中する場合，他のＬＡＮ間接続装置からの呼の接続が拒否される場合が多い。従来，これに対処する方法として次の▲１▼または▲２▼が存在する。
【０００７】
▲１▼ＬＡＮ間接続装置６１側において，最初の回線番号による発呼を中止して，手動により相手ＬＡＮ間接続装置６３の別の回線装置６３ｂを入力して発呼する操作を行う。
【０００８】
▲２▼自動発呼の場合，繰り返し発呼を継続して，ＬＡＮ間接続装置６３の回線装置６３ａの通信相手が接続を切断した後，接続される。
上記▲１▼の方法は接続に手間がかかり，▲２▼の方法は接続に時間がかかるという問題があった。
【０００９】
なお，公衆網がＩＳＤＮ対応であっても，着信先の回線のチャネル（２Ｂ＋Ｄの基本インタフェースの場合は２チャネル）がビジーの場合，上記と同様の問題がある。
【００１０】
本発明は公衆網によるＬＡＮ間接続において，特定の回線番号へのアクセス集中による接続拒否が発生しても，発呼側のＬＡＮ（または端末）との接続を確保することができるＩＳＤＮの公衆網経由のＬＡＮ間接続方式を提供することを目的とする。
【００１１】
【課題を解決するための手段】
図１は本発明の第１の原理構成，図２は本発明の第２の原理構成である。
図１において，１は２つの回線装置を備えるＬＡＮ間接続装置，１０は制御部，１１〜１５は制御部１０を構成する手段であり，１１は着信拒否通知検出手段，１２は空き回線識別手段，１３は発呼指示手段，１４はテーブル更新手段，１５は回線対応のチャネル状態が格納されるチャネルテーブル，１６は発呼手段，１７−１，１７−２はそれぞれ回線番号がａ，ｂである回線装置（またはラインセット），２はＬＡＮ間接続装置１に接続するＬＡＮ，３−１，３−２は公衆網と各回線装置１７−１，１７−２と接続するＩＳＤＮの回線，４はＩＳＤＮ対応の公衆網，５は公衆網４と接続される回線番号ｃの回線装置を備えると共に他のＬＡＮに接続するＬＡＮ間接続装置，６は他のＬＡＮを表す。なお，図１にはＬＡＮ間接続装置１に回線装置が２つ設けられているが，２つ以上の任意の個数設けることができる。また，ＬＡＮ間接続装置５は，公衆網に接続する端末であってもよい。
【００１２】
図２の原理構成は，同じＬＡＮに複数のＬＡＮ間接続装置が設けられている場合の構成が示され，図２において，１ａは着信拒否が発生するＬＡＮ間接続装置，１ｂは１ａと同じＬＡＮ２に接続された他のＬＡＮ間接続装置，１０ａ及び１０ｂはそれぞれＬＡＮ間接続装置１ａ，１ｂの各制御部，１１〜１４は上記図１の同じ符号の各手段に対応し，１５ａ，１５ｂはそれぞれ自ＬＡＮ間接続装置の回線と他ＬＡＮ間接続装置の回線の状態を格納するチャネルテーブルである。
【００１３】
制御部１０ａ内の１８は発呼依頼手段，１９は更新通知手段，制御部１０ｂ内の１１０は発呼依頼検出手段，１１１は応答通知手段である。回線装置１７ａ，１７ｂはそれぞれ回線装置であり，２はＬＡＮを表し，３ａ，３ｂはそれぞれ回線装置１７ａ，１７ｂに接続する回線，４は公衆網であり，図示省略されているが上記図１と同様に発呼側のＬＡＮ間接続装置５及びＬＡＮ６が公衆網４に接続されている。なお，ＬＡＮ間接続装置１ｂには，回線装置１７ｂ及び対応する回線３ｂがそれぞれ一つだけ示されているが，それぞれ複数個設けられていてもよい。また，発呼側のＬＡＮ間接続装置５は，公衆網４に接続する端末であってもよい。
【００１４】
本発明はＩＳＤＮの公衆網を経由したＬＡＮ間接続装置への接続において，特定の回線番号へのアクセス（発呼）集中による接続拒否が発生しても，着信側のＬＡＮに接続する他の回線装置またはＬＡＮ間接続装置により接続に失敗した相手のＬＡＮ（または端末）に対し発呼することにより接続を行うものである。
【００１５】
【作用】
以下の説明では，図１，図２の各回線３−１，３−２及び３ａ，３ｂは基本インタフェース（２Ｂ＋Ｄ）の回線であるものとする。図１の場合，ＬＡＮ６のＬＡＮ間接続装置５が配下の端末からの要求によりＬＡＮ２の端末に接続する要求をすると，ＬＡＮ間接続装置５から公衆網４を介してＬＡＮ６にアクセスするために登録された回線番号を用いて発呼する。公衆網４は相手回線番号に対応する回線装置１７−１に着信する処理を行うが，その回線番号の回線の２つのチャネル（Ｂチャネル）が共に他の呼により使用中であるため着信することができない。この時，公衆網４から回線装置１７−１に対しＩＳＤＮの制御チャネル（Ｄチャネル）を介して発呼側の回線番号（ＬＡＮ間接続装置５の回線装置の回線番号）を付して着信拒否（接続失敗）を表す通知情報が送られてくる。この通知情報はＩＳＤＮの付加サービスの一つとして公衆網４から送出される。
【００１６】
ＬＡＮ間接続装置１の制御部１０の着信拒否通知検出手段１１がこの通知情報を検出すると，空き回線識別手段１２が駆動される。空き回線識別手段１２は，このＬＡＮ間接続装置１に設けられた複数の回線３−１，３−２のそれぞれのチャネルの使用状態が格納されたチャネルテーブル１５を参照して，空きチャネルを持つ回線を識別する。この場合，各回線３−１，３−２の中で回線３−１は２つのＢチャネルがビジー状態であり，回線３−２に空きチャネルがあるものとする。
【００１７】
空き回線識別手段１２が回線装置３−２が空きであることを識別すると，発呼指示手段１３は識別された回線３−２の回線装置１７−２により発呼を行うよう発呼手段１６を駆動し，発呼手段１６は発呼側の回線番号ｃを宛先とする発呼を回線装置１７−２を介して実行し，公衆網４を介してＬＡＮ間接続装置５と接続され，さらに発呼した端末と接続される。テーブル更新手段１４は発呼指示手段１３により発呼が実行され接続に成功したことが確認されると，チャネルテーブル１５の該当する回線のチャネル状態を更新する。
【００１８】
図２の場合，ＬＡＮ間接続装置１ａに上記図１と同様に別のＬＡＮのＬＡＮ間接続装置５（図示省略）からの着信時に，回線３ａの回線の２つのチャネルが使用中のため着信拒否になると，公衆網４から着信拒否（接続失敗）を表す通知情報が送られてくると，着信拒否通知検出手段１１が起動し，空き回線識別手段１２により空き回線を識別する。この構成では，制御部１０ａのチャネルテーブル１５ａには自ＬＡＮ間接続装置１ａの回線３ａ（自回線）のチャネル状態と，同じＬＡＮ２に接続する他のＬＡＮ間接続装置１ｂの回線３ｂ（他回線）の使用状態が格納されている。識別の結果，他のＬＡＮ間接続装置１ｂの回線（他回線）に空きチャネルがあることを識別すると，発呼依頼手段１８によりＬＡＮ２を介して他のＬＡＮ間接続装置１ｂに発呼側の回線番号ｃを含む発呼依頼を行う。
【００１９】
ＬＡＮ間接続装置１ｂでは，発呼依頼検出手段１１０でこれを受け取ると，空き回線識別手段１２によりチャネルテーブル１５ｂを参照し，自装置の回線３ｂのチャネル状態を識別し，その結果を応答通知手段１１１からＬＡＮ間接続装置１ａに通知する。空き回線があることが識別された場合，発呼指示手段１３が空き回線３ｂの回線装置１７ｂにより発呼を行うよう指示し，発呼手段１６は発呼側の回線番号ｃを宛先とする発呼を行い，相手ＬＡＮ間接続装置と接続する。テーブル更新手段１４は発呼指示手段１３により発呼が実行されると，チャネルテーブル１５の該当する自回線３ｂのチャネル状態を更新する。次に更新通知手段１９が起動され，同じＬＡＮ２に接続するＬＡＮ間接続装置１ａに宛てて自回線３ｂについての更新内容を通知する。
【００２０】
上記図２の説明では，チャネルテーブル１５ａ，１５ｂは上記したように自ＬＡＮ間接続装置で更新が行われる毎に他のＬＡＮ間接続装置へ通知することにより更新しているが，一定時間毎に他のＬＡＮ間接続装置のチャネルテーブルの内容を読み取る要求を出して，読み取った内容を受け取って更新を行うか，一定時間毎に他のＬＡＮ間接続装置へ自装置のチャネルテーブルを送出して，相手側で更新するようにすることができる。
【００２１】
【実施例】
図３はＬＡＮ間接続装置の構成例である。
図中，２０はＬＡＮ間接続装置，２１はＣＰＵ，ＲＡＭ，ＲＯＭを含む制御部，２２はチャネルテーブル２２ａを備えるメモリ，２３はＬＡＮと接続されるＬＡＮインタフェース，２４，２５はラインセット（図１，図２の回線装置１７−１，１７−２，１７ａ，１７ｂと同じ）に接続されるラインセット・インタフェース（ＬＳＩＦ），２６，２７はそれぞれＩＳＤＮの公衆網（図１，図２の４）の回線３−１，３−２に接続するラインセットである。
【００２２】
図３の構成は，上記図１のＬＡＮ間接続装置１に対応し，回線及びラインセット（回線装置）が２つ設けられているが，回線及びラインセットを一つだけ備えるように変更した構成が上記図２のＬＡＮ間接続装置１ａに対応する。
【００２３】
図４は実施例１のネットワークの接続構成の例を示す。この実施例１は上記図１に示す第１の原理構成に対応する図３に示すＬＡＮ間接続装置が使用される。図４において，公衆網４に対し複数のＬＡＮ間接続装置Ａ〜Ｃがそれぞれ回線番号（ａ）〜（ｃ）が付与された回線により公衆網（図１の４）と接続されると共に，それぞれＬＡＮと接続されている。ＬＡＮ間接続装置Ｄは，上記図４に示す構成を備え，一方がＬＡＮと接続され，他方は２つのラインセットｄ１，ｄ２に接続され，各ラインセットはそれぞれ回線番号（ｄ１）と（ｄ２）を持つ公衆網４の回線と接続されている。ＬＡＮ間接続装置Ｄの内部構成は制御部とラインセットだけ示し，その他の構成は図４と同様であり図示省略されている。
【００２４】
図５は実施例１のＬＡＮ間接続装置のチャネルテーブルの構成である。このチャネルテーブルは，上記図４のＬＡＮ間接続装置Ｄのメモリ（図３の２２）内に設けられた２２ａとして示され，各ラインセットｄ１，ｄ２について，それぞれ回線番号，ＩＰ（Ｉｎｔｅｒｎｅｔ  Ｐｒｏｔｏｃｏｌ）  アドレスが格納されると共に，各ラインセットが備える２つのチャネル，すなわちチャネル１とチャネル２の現在の状態が格納されている。この例では，ラインセットｄ１の回線３−１はチャネル１とチャネル２が専有（使用中）状態で，ラインセットｄ２の回線３−２は，２つのチャネルが共に空き状態である。
【００２５】
図６は実施例１による動作シーケンスであり，上記図４に示す接続構成における動作が示される。図６のＡ．は，ＬＡＮ間接続装置Ｄのラインセットｄ１が，それぞれチャネル１，チャネル２を用いてＬＡＮ間接続装置Ａ及びＬＡＮ間接続装置Ｂと通信をしている状態である。この時のＬＡＮ間接続装置Ｄのチャネルテーブルの内容は図５のようになっている。
【００２６】
この状態で，ＬＡＮ間接続装置Ｃ（回線番号ｃ）が，宛先として回線番号（ｄ１）が登録されたＬＡＮ間接続装置Ｄと接続するため公衆網４に発呼すると，図６のＢ．に示すように回線３−１の２つのチャネルが専有（使用中）であるため接続が失敗する。この時，ＩＳＤＮの公衆網からＤチャネル（制御チャネル）により，着信が拒否されたことを通知する。この通知の中に発呼側の回線番号ｃが含まれている。
【００２７】
次に，図６のＣ．に示すようにＬＡＮ間接続装置Ｄでは，この着信拒否の通知を受け取ると，回線番号ｃからの着信が失敗したことを検出し，図５のチャネルテーブルを参照して，空きチャネルのあるラインセットｄ２によりチャネル１を用いて発呼するよう指示する。これによりラインセットｄ２から回線３−２，公衆網４を介してＬＡＮ間接続装置Ｃと接続され，ＬＡＮ間接続装置ＣのＬＡＮに接続した端末と，ＬＡＮ間接続装置ＤのＬＡＮの端末とのＬＡＮ間通信が可能となる。この後，上記図５に示すチャネルテーブルの中のラインセットｄ２の２つのチャネルの中で通信に使用したチャネルを専有状態に設定する更新が行われる。
【００２８】
なお，公衆網に接続されているラインセットがラインセットｄ２だけでなく複数ある場合は，ＬＡＮ間接続装置Ｄにおいてチャネルテーブルを参照する時，参照するラインセットの順序を予め指定により設定しておく。また，ＬＡＮ間接続装置Ｄにおいて，チャネルテーブルを参照した時にチャネルの空きが全くない場合は，一定時間チャネルに空きがでるのを待ち，空きがでた時にそのラインセットに発呼の指示を行う。空きがない場合は，一定の待ち時間の後に処理を終了する。
【００２９】
図７は実施例２のネットワークの接続構成の例を示す。この実施例２は上記図２に示す第２の原理構成に対応するＬＡＮ間接続装置が着信側のＬＡＮ間接続装置として設けられ，上記図３に示すＬＡＮ間接続装置の中のラインセットが一つだけ備えている構成に相当する。
【００３０】
図７の接続構成では，公衆網４に対し複数のＬＡＮ間接続装置Ａ〜Ｃがそれぞれ回線番号（ａ）〜（ｃ）が付与された回線により公衆網（図１の４）と接続されると共に，それぞれのＬＡＮと接続され，ＬＡＮ間接続装置Ｄ，Ｅは同じＬＡＮに接続され，ＬＡＮ間接続装置Ｄは回線番号（ｄ）の一つのラインセットを備え，回線３ａにより公衆網４と接続され，ＬＡＮ間接続装置Ｅは少なくとも一つの回線番号が（ｅ）のラインセットｅを備え，回線３ｂにより公衆網４と接続される。ＬＡＮ間接続装置Ｄ，Ｅの内部構成は制御部及びラインセットだけ示し，その他の構成は図示省略されている。
【００３１】
図８は実施例２のチャネルテーブル及びＬＡＮ経由のＬＡＮ間接続装置間のフレームフォーマットを示す。
図８のＡ．及びＢ．はそれぞれ図７のＬＡＮ間接続装置Ｄ及びＬＡＮ間接続装置Ｅのチャネルテーブルの構成を示し，Ａ．は，参照順位１として，自装置であるＬＡＮ間接続装置Ｄのラインセットｄに関し，回線番号，ＩＰアドレスが配置され，続いてチャネル１，２の状態が格納され，次に参照順位２としてＬＡＮ間接続装置Ｅのラインセットｅについて同様の情報が格納されている。Ｂ．は，自装置であるＬＡＮ間接続装置Ｅのラインセットｅを参照順位１に，ＬＡＮ間接続装置Ｄのラインセットを参照順位２としてＡ．と同様の内容が設定されている。なお，ＩＰアドレスは，ＬＡＮ内のアドレス（ｄ）’とＷＡＮ経由のアドレス（ｄ）とがあり，両者はアドレスの一部が相違する。
【００３２】
図８のＡ．及びＢ．に示すチャネルテーブルは，図７の構成において，ＬＡＮ間接続装置ＤとＬＡＮ間接続装置Ｅの各制御部が，互いのラインセットのチャネルの空き状態をＬＡＮ経由で定期的に通知し合うことにより常に正確な内容に更新される。送信間隔は設定により指定される。
【００３３】
図８のＣ．はＬＡＮ経由でＬＡＮ間接続間で通知する情報のフレームフォーマットを表し，ラインセットのチャネルの空き状態の通知もこのフォーマットにより行われ，チャネル状態の通知は，このフォーマットの最後に設けられた識別子の数値により表し，“１”が設定される。Ｃ．のフォーマットにおいて，ＤＡ，ＳＡはそれぞれ通知相手及び送信元のＭＡＣ（Ｍｅｄｉａ  Ａｃｃｅｓｓ  Ｃｏｎｔｒｏｌ）  アドレス，  ＴＹＰＥはプロトコル識別子（この場合ＩＰプロトコルを示す０８８００が設定される）を表し，次にＩＰヘッダ，ＵＤＰ（Ｕｓｅｒ  Ｄａｔａｇｒａｍ  Ｐｒｏｔｏｃｏｌ）ヘッダと続き，最後にそのフレームにより伝送する情報の種別（機能）を表す識別子が設定される。
【００３４】
図９は実施例２による動作シーケンスであり，上記図７に示す接続構成における動作を示す。最初に，図９のＡ．はＬＡＮ間接続装置Ｄのラインセットｄが，それぞれチャネル１，チャネル２を用いてＬＡＮ間接続装置Ａ及びＬＡＮ間接続装置Ｂと通信をしている状態である。一方，ＬＡＮ間接続装置Ｅのラインセットｅは２つのチャネルが共に空き状態であり，それぞれのチャネルテーブルの内容は上記図８のＡ．及びＢ．のようになっている。
【００３５】
この状態で，ＬＡＮ間接続装置Ｃ（回線番号ｃ）が，宛先として回線番号（ｄ）が登録されたＬＡＮ間接続装置Ｄと接続するため公衆網４に発呼すると，図９のＢ．に示すように回線３ａの２つのチャネルが専有状態（使用中）であるため接続が失敗する。この時，ＩＳＤＮの公衆網からＤチャネル（制御チャネル）により回線番号ｃからの着信が失敗（着信拒否）があったことをＬＡＮ間接続装置Ｄに通知する。
【００３６】
次に，図９のＣ．に示すようにＬＡＮ間接続装置Ｄでは，この着信拒否の通知を受け取ると，回線番号ｃからの着信が失敗したことを検出し，図８のＡ．のチャネルテーブルを参照して，参照順位に従って最初は自装置のラインセットに空きがあるか識別し，この例のように無い場合は次の参照順位について識別し，他のＬＡＮ間接続装置Ｅのラインセットｅに空きがあることが識別される。これにより，ＬＡＮを経由して他のＬＡＮ間接続装置Ｅに対し，回線番号ｃに向けて発呼するように依頼するフレームを流す。このフレームは上記図８のＣ．のフォーマットであり，その識別子は“２”とする。この識別子により，発呼依頼のフレームであることを表し，発呼の相手の回線番号（ＬＡＮ間接続装置Ｃの回線）の情報も一緒に送られる。
【００３７】
このフレームを受信したＬＡＮ間接続装置Ｅは，自装置のチャネルテーブル（図８のＢ．）を参照し，指定されたラインセットｅのチャネルの空き状況を確認し，空き状況に応じて以下の処理を行う。
【００３８】
（１）  チャネルに空きがある場合は，  発呼依頼を受諾する旨を通知するため，上記発呼依頼のフレームの送信元（ＬＡＮ間接続装置Ｄ）に対し，上記図８のＣ．のフレームを送出し，自装置（ＬＡＮ間接続装置Ｅ）のチャネルテーブルを更新する。この場合，ラインセットｅのチャネル１を「空」から「保留」にする。また送出されるフレームの識別子は“３”とする。
【００３９】
（２）  チャネルが専有されていれば，  自装置に別のラインセットがある場合，そのチャネルに空きがあるか参照し，  空きがあればその別のラインセットから発呼が可能である旨を通知するフレームを送信元（ＬＡＮ間接続装置Ｄ）に送出する。この時のフレームの識別子は“４”とする。次いで，自装置のチャネルテーブルを更新する。この場合，該当するチャネルを「空」から「保留」にする。
【００４０】
（３）  自装置（ＬＡＮ間接続装置Ｄ）のチャネルに全く空きが無い場合は，発呼が不可能であることの旨を通知する。この場合のフレームの識別子は“５”とする。
【００４１】
上記（１），（２），（３）  により，  それぞれ識別子が“３”，“４”，“５”のフレームを受け取った送信元のＬＡＮ間接続装置Ｄの制御部は，以下のような処理を行う。
【００４２】
ａ．識別子“３”のフレームを受け取った場合は，そのフレームの送信元（ＬＡＮ間接続装置Ｅ）に対して，ＬＡＮ間接続装置Ｃへの発呼を依頼するフレームを送出し，チャネルテーブルの該当部を「空」から「保留」にする。この時のフレームの識別子は“６”とする。
【００４３】
ｂ．識別子“４”のフレームを受け取った場合は，そのフレームの送信元に対して，ＬＡＮ間接続装置Ｃへの発呼を依頼するフレームを送出し，チャネルテーブルの該当部を「空」から「保留」にする。この時送出されるフレームの識別子は“７”とする。
【００４４】
ｃ．識別子“５”のフレームを受け取った場合は，チャネルテーブルを参照し，前に依頼したＬＡＮ間接続装置Ｄ及びラインセットを除いて最も参照順位の高い装置及びラインセットに対して，ＬＡＮ間接続装置Ｃへの発呼を依頼するフレームを送信し，相手ＬＡＮ間接続装置において上記の（１）  〜（３）  の何れかの処理が行われる。
【００４５】
上記の識別子が“６”，“７”のフレームを受け取ると，ＬＡＮ間接続装置Ｅは，回線番号ｃのＬＡＮ間接続装置Ｃに向けて発呼する。発呼に成功すると，発呼したＬＡＮ間接続装置Ｅは，発呼に成功した旨を通知するため識別子を“８”とするフレームをＬＡＮ間接続装置Ｄに送出し，自装置のチャネルテーブルを「保留」から「専有」に更新する。
【００４６】
ＬＡＮ間接続装置Ｄは，ＬＡＮ間接続装置Ｄからの上記の識別子を“８”としたフレームを受け取ると，自装置のチャネルテーブルの該当部分を「保留」から「専有」に更新する。
【００４７】
【発明の効果】
本発明によれば，ＩＳＤＮの公衆網に接続する特定のＬＡＮ間接続装置に対し，公衆網を経由した他の端末やＬＡＮ間接続装置からの呼が集中した場合に，接続が失敗する可能性を低減することが可能となる。
【００４８】
また，呼が集中する特定のＬＡＮ間接続装置と同じＬＡＮに公衆網と接続する他のＬＡＮ間接続装置が設けられている場合には，他のＬＡＮ間接続装置を有効に利用して接続が失敗した発呼側の端末やＬＡＮ間接続装置に接続することが可能となる。
【図面の簡単な説明】
【図１】本発明の第１の原理構成図である。
【図２】本発明の第２の原理構成図である。
【図３】ＬＡＮ間接続装置の構成例を示す図である。
【図４】実施例１のネットワークの接続構成例を示す図である。
【図５】実施例１のＬＡＮ間接続装置のチャネルテーブルの構成例を示す図である。
【図６】実施例１による動作シーケンスを示す図である。
【図７】実施例２のネットワークの接続構成の例を示す図である。
【図８】実施例２のチャネルテーブル及びＬＡＮ経由のＬＡＮ間接続装置間のフレームフオーマットを示す図である。
【図９】実施例２による動作シーケンスを示す図である。
【図１０】従来例の説明図である。
【符号の説明】
１      ＬＡＮ間接続装置
１０    制御部
１１    着信拒否通知検出手段
１２    空き回線識別手段
１３    発呼指示手段
１４    テーブル更新手段
１５    チャネルテーブル
１６    発呼手段
１７−１  回線装置
１７−２  回線装置
２      ＬＡＮ
３−１  回線
３−２  回線
４      ＩＳＤＮ対応の公衆網
５      ＬＡＮ間接続装置
６      他のＬＡＮ
【図１】
0003559349.tif 000002
【図２】
0003559349.tif 000003
【図３】
0003559349.tif 000004
【図４】
0003559349.tif 000005
【図５】
0003559349.tif 000006
【図６】
0003559349.tif 000007
【図７】
0003559349.tif 000008
【図８】
0003559349.tif 000009
【図９】
0003559349.tif 000010
【図１０】
0003559349.tif 000011